(57)【特許請求の範囲】
【請求項１】
部品（１）を支持部（２）、特に金属製支持部に固定するためのプラスチック材料のクリップであって、該クリップは部品（１）と一体化されそして本体（３）の寸法よりも小さな寸法のノーズ部（４）によってその一端部を終端される中空の本体（３）と、弾性によって支持部（２）のエッジを受容しそして一体化クリップを支持部に保持するように形成されたスナップ-固着区域（８）を画定するようにノーズ部（４）から突出した少なくとも１つの実質的に三角形のスナップ-固着リム（５）とから構成され、
本体（３）は２つの台形の側部により構成され、ノーズ部（４）はその側部の各々がスナップ-固着リム（５）を担持したＶ字形であることを特徴とするクリップ。
【請求項２】
本体（３）は、支持部（２）に対する一体化クリップのための接合部として作用するリブ（７）により伸延されていることを特徴とする請求項１記載のクリップ。
【請求項３】
ノーズ部（４）はより大きな厚さの本体（３）に結合された交差プレート（６）から突出していることを特徴とする請求項１または２記載のクリップ。
【請求項４】
ノーズ部は、交差プレート（６）に結合された本体（３）の側部分の幅よりも小さな最大幅の側部によって交差プレート（６）に取り付けられていることを特徴とする請求項１から３のいずれか一項に記載のクリップ。
【請求項５】
本体（３）はノーズ部（４）の幅よりも大きな幅であることを特徴とする請求項１から４のいずれか一項に記載のクリップ。
【請求項６】
接合部（７）は、ノーズ部（４）のスナップ-固着リム（５）に対して支持部（２）を保持するように作用することを特徴とする請求項１から５のいずれか一項に記載のクリップ。
【請求項７】
開口（２ｆ）の周縁部はフランジによって囲繞されていることを特徴とする請求項１記載のクリップ。
【請求項８】
交差プレート（６）は、支持部（２）に対して押圧してシールを提供する２つの突出した可撓性のリップ部（７ａ，７ｂ）によってクリップの軸方向に延びていることを特徴とする請求項１から７のいずれか一項に記載のクリップ。
【請求項９】
請求項１から８のいずれかに記載された少なくとも１つの一体化クリップを含む熱可塑性部品であって、一体化クリップ（１１）は熱可塑性部品（１）と共に射出成形されることを特徴とする熱可塑性部品。
【発明の詳細な説明】
本発明は、専用ではないが主として熱可塑性材料で作成された部品を固定するため、特に、モータ製造において金属性部品にこのようなファスナを用いて取り付けるための一体型ファスナまたは留めクリップに関する。
伝統的に、このような留めは、リベット、プラスチック製ファスナ、またはねじ山が支持部の穴または開口に係合する一方、ヘッドが固着されるプラスチック製部品を保持するねじのような手段によって行われる。この種の組立ては容易に分解できるが、機械設備を追加的に設置することとなるため、高価である。更に、このような分離した取付けエレメントによる留めは多大な労働時間が掛かる。
本発明の目的は、このような欠点を解消しそして即座にかつ見なくとも取り付けることができ、また、金属製支持部に接触させられる表面を破壊または損傷することなしに分解することができる取付けを提供することにある。本発明はまた、金属製でなくとも尖ったエッジを有する支持部にクリップ部品を使用させることもできる。
独立したクリップがすでに提案されている。
米国特許第４，７０１，９８４号は、金属製筐体内にプリント回路を固着するためのプラスチック材料で作成されたクリップを開示している。その本体は多角形開口に挿入するための固着部分とプリント回路を筐体の壁から一定間隔だけ離して保持するための保持部分とからなっている。かくして、プリント回路はヘッドと保持部分との間に締着される。
米国特許第５，５４２，１４８号において、一体化される２つの部品が、可撓性ハウジングに取り付けられそして該ハウジングに対して横方向へ押圧する金属製バネによって相互に組み立てられている。
本発明の第２の目的は、熱可塑性部品を支持部に密封（leakproof）手段で固着できるようにすることにある。
支持部、特に、金属製支持部に熱可塑性部品を固着するための一体化クリップは、該部品と共に成形されることによって一体化される。結果として、一体化クリップは、後続の分類分けのために取付けエレメントを取り外すという予防策を行うことなしに、再利用について完全に適合している。特に自動車用の熱可塑性部品は、射出成形により作成され、そしてクリップはかくしてややより複雑な鋳型の作成コストでもって直接的単純に得ることができる。かくして、本発明は、組立てコストの上昇となる、取付けられるクリップを受容するためのハウジングを設けることを不要にする。
本発明によれば、支持部、特に金属製の支持部に部品を固着するためのプラスチック材料の一体化クリップは、本体よりも小さな寸法のノーズ部によってその一端部で終端される中空の本体と、弾性によって支持部のエッジを受容して一体化クリップを支持部に保持するためのものであるスナップ-固着領域を画定するようにノーズ部から突出した少なくとも１つの実質的に三角形のスナップ-固着リムとから構成されることを特徴とするものである。
プラスチック材料の可撓性は一体化クリップのノーズ部が穴に挿入されるのを可能にしそしてクリップが予め画定された位置を占有するまで突出したリムが収縮されるのを可能にし、そこにおいて、金属製シート、またはより一般的には支持部は、一体化クリップの本体とスナップ-固着リムとの間に締着される。
本発明の別の特徴によれば、スペーサがノーズ部の２つの側部と本体の側壁とを連結しており、それにより交差プレートを形成している。
本発明の別の特徴によれば、２つの側部軸承リブが支持部への一体化クリップのための接合部として作用している。
クリップのノーズ部を構成する側部は増大された厚さでありそして結果的に可撓性であり、そしてそれらは、金属製シートに直接形成された囲繞フランジをそれぞれ有する開口において組立ておよび分解可能であり、そしてそれらは、スナップ-固着リムの質および状態を損なうことなしに、この可能性を遂行する。総体的に、切抜き加工部（cutout）のエッジは鋭く、そしてそれ故、一体化クリップを直接挿入することは特にスナップ-固着リムに損傷を与えることが知られており、それにより、数回の組立ておよび分解作業の後には固定の密封および質が低下する。
本発明によれば、囲繞フランジを有する支持部は鋭利な区域の位置を変えることができる。Ｖ字形ノーズ部の側部はかくして損傷を受けることことなしに支持部のエッジ上を摺動でき、そしてそれらはノーズ部がその最終位置に到達するのを可能にする。
このような部品は、特殊な問題が生じたときに、時たま分解されるだけである。一体化クリップを構成する熱可塑性材料は、それ故、組立ておよび分解作業の引っかき傷に耐えるのに適したものであるように選定される。
本発明のその他の特徴および利点は、図面と共に後述する、限定を意図しない例示である特定な実施例の説明から明らかである。
図１から４は切抜き加工部に挿入されてから固着されるまでの一体化クリップの各部の種々の位置を示す図である。
図５は分解中のクリップを示す図である。
図６は本発明の一体化クリップの斜視図である。
図１から６において、同じ参照番号が同じエレメントを指示するように用いられている。一体化クリップの目的は、例えば、熱可塑性材料で作成された部品１を、例えば、金属で作成され、そして図示の例の場合、矩形の切抜き加工部２ｆを有する支持部２に固着することである。全体的に参照番号１１で示される一体化クリップは、部品１から支持部２に向かって突出しており、該クリップは２つの傾斜した台形の面により構成された中空の本体３からなり、本体３は、本体３の２つの面を連結する交差プレート６の先端部で終端し、そしてそこから本体３の側部の幅よりも小さな幅のＶ字形のノーズ部４が突出している。
スナップ-固着リム５がノーズ部４の後端部分の側部に形成されており、これらのリムは、リム５のすぐ後にスナップ-固着区域８を形成する実質的に三角形の壁部により構成されている。Ｖ字形のノーズ部４は、図２に示される位置に到達するまで、クリップを中央に位置して指向させるように作用し、かくして、部品を見ないで、すなわち、その適切な位置を捜すことなしに組立てを行うことを可能にする。
図１は、一体化クリップ１１が矢印Ｆの方向へ切抜き加工部または開口２ｆに貫入する前の部品４および支持部２を示している。以下の説明において、支持部は固定して残されそして一体化クリップが支持部に関して移動すると仮定して説明する。もちろん、必要とするすべては部品間での相対的な移動である。
図２において、ノーズ部４ａは穴２ｆに貫入しそしてノーズ部４の側部は金属製シート２のエッジに接合する。
移動が続けられたとき（図３参照）、穴２ｆが一体化クリップの２つのリム５に対して側路を押圧すると共に、ノーズ部４は穴２ｆに貫入する。組立て力と、矢印ｆ１で表わされるような、支持部２のエッジによって発生された圧力との組合せ効果の下で、ノーズ部の側部は内方へ変形しそして交差プレート６は矢印Ｆと逆の方向へ膨出した湾曲形状になる。このことは、ノーズ部４と本体３の側部との間の結合部の中心部１２に傾斜運動を生じさせ、かくして組立て力Ｆを減衰させることになる。クリップの橋台７が支持部２と接触するとすぐに、組立て力がノーズ部４に適用されるのを停止しそして弾性によってその本来の形状に復帰し、それによりリム５とクリップの橋台７との間にそのフランジの先端部を拘束して支持部２を保持する。クリップは、図４に示されるように、橋台７と支持部２のリム５とが接合することにより保持され、そこにおいて引抜きに対する抵抗は矢印Ｆ１で表わされている。引抜き力Ｆ１が部品に加えられるとき、この力は本体の側部３を介して伝えられ、支持部２に対してリム５を押圧する傾斜運動を中心部１２に遂行させ、かくしてクリップの保持力を増大する。
クリップされた部品１は、上述した方向に対向する方向へ、すなわち、部品１またはその一体化クリップ１１上へ引くことによって離脱され、このとき、一体化クリップ１１は図４、５、２および１に示される位置に順次に動かされ、ノーズ部４が抜き出された後に図１に示される形状に復帰するように材料の弾性が作用する。
図５に示されるように、引抜き力が過剰に大きいとき、交差プレート６は、矢印ｆ２で表わされるように、組立中に湾曲する方向に対向する方向へ湾曲してノーズ４の側部が変形し、それによりクリップ全体を支持部２から離脱する。
図６は、部品１を省略した本発明の一体化クリップの斜視図である。支持部の切抜き加工部２ｆは矩形でありそして、切抜き加工部および一体化クリップの長手方向に延びる２つの対向した可撓性のリップ部７ａおよび７ｂがそれぞれ設けられており、これらのリップ部は、上述したような組立ておよび分解を行うときに、交差プレート６に延びそして開口２ｆの全領域を覆う。
上述した説明は、一例として、支持部の矩形の切抜き加工部に貫入するための２つの側部を有しそして囲繞フランジを有する一体化クリップを用いて説明したが、その区域が方形または円形のクリップと共に同様に構造されたものもまた使用することができる。同様に、プラスチック材料で作成された部品と一体化されることはクリップにとって経済的に有利であるが、本発明の範囲を逸脱することなしに、隠れた固着エレメントを分離するように構成したり、特に実質的に同等な技術的手段により、多くの変形を行つたりすることができることは明らかである。
【図１】
0004212005.tif 000002
【図２】
0004212005.tif 000003
【図３】
0004212005.tif 000004
【図４】
0004212005.tif 000005
【図５】
0004212005.tif 000006
【図６】
0004212005.tif 000007